(57)【特許請求の範囲】
【請求項１】
患者台に配置された患者の体の中に導入される医療器具の上記体の周期的に運動する器官に対する位置を決定するための装置を制御する方法であって、
（ａ）位置測定ユニットによって、上記医療器具の空間的位置及び上記患者台に固定された基準プローブの空間的位置を決定すると同時に、信号測定ユニットによって、上記器官の周期運動に関連する周期運動信号を捕捉する段階と、
（ｂ）制御算術ユニットによって、記憶ユニットに記憶され且つ手術前に同じ運動信号と同時に捕捉され個々の運動位相に関連付けられる上記器官の３次元画像データセットを含む画像データベースから３次元画像データセットを選択する段階であり、上記医療器具の空間的位置及び上記基準プローブの空間的位置の決定中に上記運動位相に関連付けられる３次元画像データセットが選択される段階と、
（ｃ）制御算術ユニットによって、空間中及び選択された３次元画像データセット中で既知の上記基準プローブの位置により上記医療器具の空間的位置を変換することによって上記器官に対する上記医療器具の位置を決定する段階とを含む方法。
【請求項２】
信号測定ユニットによって、心電図及び／又は上記患者の呼吸運動に依存する呼吸運動信号が上記運動信号として捕捉されることを特徴とする、請求項１記載の方法。
【請求項３】
上記画像データベースは、特に磁気共鳴装置、Ｘ線装置、コンピュータ断層撮影装置及び／又は超音波装置といった画像データ捕捉ユニットによって捕捉された３次元画像データセットを含むことを特徴とする、請求項１記載の方法。
【請求項４】
３次元画像データセットはまた、上記医療器具の空間的位置及び上記基準プローブの空間的位置の決定中に、特に超音波装置による画像データ捕捉ユニットによって捕捉され、この画像データセットは上記器官に対する医療器具の位置を決定するために使用され及び／又は上記画像データベース中に取り込まれることを特徴とする、請求項１記載の方法。
【請求項５】
医療器具の空間的位置及び上記基準プローブの空間的位置の決定と同時に、呼吸運動信号を測定するための手段によって、上記患者の呼吸運動を表わす呼吸運動信号が測定され、制御算術ユニットによる上記器官に対する上記医療器具の位置の決定中に補正のために使用される呼吸運動信号が測定されることを特徴とする、請求項１記載の方法。
【請求項６】
上記補正は、上記個々の呼吸運動位相に依存して検査される上記器官の位置に対する呼吸運動の効果を補正するための補正値を含む手術前に決定された補正テーブルから、上記実際に測定された呼吸運動位相に関連付けられる補正値が選択されるよう行なわれ、上記医療器具の空間中の位置はそれに基づいて補正されるよう行なわれることを特徴とする、請求項５記載の方法。
【請求項７】
上記医療器具の近傍の画像は、ディスプレイ装置上に表示されるよう近傍の画像を決定するための手段によって上記選択された３次元画像データセットから決定され、上記医療器具の位置は上記画像に重畳されることを特徴とする、請求項１記載の方法。
【請求項８】
３次元画像データセットに対する上記基準プローブの位置は、
基準プローブを再生するための手段によって上記基準プローブが３次元画像データセットの捕捉と共に再生されるよう決定されること、又は、基準プローブの位置を画像データ捕捉ユニットに対して決定するための手段によって上記基準プローブの位置が上記画像データセットを捕捉する画像データ捕捉ユニットに対して決定されることを特徴とする、請求項１記載の方法。
【請求項９】
患者台に配置された患者の体の中に導入される医療器具の位置を周期的に運動する器官に対して決定する装置であって、
上記体の中に導入される医療器具の空間的位置及び前記患者台に固定された基準プローブの空間的位置を決定する位置測定ユニットと、
上記器官の上記周期運動に関連する周期運動信号を上記医療器具の空間的位置及び上記基準プローブの空間的位置の決定と同時に決定する信号測定ユニットと、
手術前に同じ運動信号と同時に捕捉され、個々の運動位相に関連付けられる上記器官の３次元画像データセットを含む画像データベースを記憶する記憶ユニットと、
医療器具の空間的位置及び基準プローブの空間的位置の決定中に上記運動位相に関連付けられる３次元画像データセットが選択されるよう上記画像データベースから３次元画像データセットを選択し、空間中で既知の基準プローブの位置及び上記選択された３次元画像データセット中で既知の基準プローブの位置により上記医療器具の空間的位置を変換することによって上記器官に対する上記医療器具の位置を決定する制御・算術ユニットとを含む装置。
【請求項１０】
上記信号測定ユニットは上記患者の心電図を測定する心電図ユニットを含むことを特徴とする、請求項９記載の装置。
【請求項１１】
上記信号測定ユニットは、上記医療器具の空間的位置及び上記基準プローブの空間的位置の決定と同時に上記患者の呼吸運動を測定する手段を含むことを特徴とする、請求項９又は１０記載の装置。
【請求項１２】
上記位置測定ユニットは、上記患者の体の外側、又は上記医療器具及び上記基準プローブ上に配置される電磁送信手段と、上記医療器具及び上記基準プローブ上、又は上記患者の体の外側に夫々配置される対応する電磁受信手段とを含むことを特徴とする、請求項９記載の装置。
【請求項１３】
上記基準プローブは空間中で静止するよう配置され、上記患者に取り付けられる患者基準プローブが設けられることを特徴とする、請求項９記載の装置。
【発明の詳細な説明】
【０００１】
【発明の属する技術分野】
本発明は、患者の体の中に導入された医療器具の体の器官の周期的な運動に対する位置を決定するための方法及び装置に関連する。
【０００２】
【従来の技術】
臨床的な適用は、患者の体に導入された医療器具の位置の決定の精度についてより要件を課すようになっている。特に、心臓疾患の処置のための最小限の侵入的な方法に対する関心が高まっているため、医師が医療器具を心臓の内側及び外側の正確な所定の位置へ案内することを可能とする方法及び装置の開発が必要とされる。例えば、直接心筋血管再生の場合、心室壁上の複数の所定の位置に小さい穴を開けるため、又はかかる位置で心室壁に薬物を投与するために、心室壁上の複数の所定の位置へ小さいドリルヘッドを有するカテーテルを案内することが必要である。
【０００３】
Gepstein外による「A Novel Method for Non-Fluroscopic Catheter-Based Electroanatomical Mapping of the Heart」, Circulation 1997;95:1611-1622により公知の方法によれば、体の中に導入されるカテーテルの位置は、カテーテルの上に例えばＲＦコイルといった電磁送信装置が取り付けられ、一方例えば複数のＲＦ受信コイルといった対応する電磁受信装置は送信装置によって送信される信号を受信するために体の外側に配置される。受信装置の座標系、即ち空間中のカテーテルの位置に対するカテーテル又はカテーテルの先端の位置が比較的正確に決定されても、周囲の解剖学的構造、例えば心臓に対するカテーテルの位置はこのようにしては決定できない。このため、処置中に追加的にＸ線透視画像が形成されねばならない。かかる画像は連続して形成される新しいＸ線画像中でカテーテルを追従することを可能とする。
【０００４】
【発明が解決しようとする課題】
しかしながらかかる透視方法は、比較的複雑であり、医療器具の位置の決定に必要とされる精度を与えない。また、患者の処置中のＸ線画像の連続的な形成は、追加的なＸ線負荷を表わす。医療器具を囲む解剖学的構造が処置中に静止しておらず運動しており、特に周期運動を行なうという他の問題がある。これは周期的固有運動を行なう、即ち収縮期に収縮し、弛緩期に拡張する心臓について当てはまるだけでなく、患者の呼吸による追加的な実際的な周期運動も受ける。より少ない程度ではあるが、これは心臓だけでなく、やはり心臓及び呼吸の運動によって動かされる脳、胃、及び肝臓といった他の器官についても当てはまる。
【０００５】
従って、本発明は、患者の体の中へ導入された医療器具の周期的に運動する器官に対する位置の決定をできる限り正確に行なうことを可能とする方法及び装置を提供することを目的とする。
【０００６】
【課題を解決するための手段】
この目的は、請求項１記載の方法及び請求項１０記載の装置によって達成される。
【０００７】
本発明は、医療器具の位置が器官に対して決定されるとき、この器官の周期運動もまた位置の決定のために考慮に入れられるという認識に基づく。このため、例えば患者の呼吸に依存する呼吸運動信号又は心臓運動に関連付けられる心電図といった、器官の周期運動に関連付けられる周期運動信号が測定され、一方、医療器具及び基準プローブの空間的位置は例えば公知の電磁測定装置といった測定装置によって決定される。次に、基準プローブは患者の体の外側、例えば患者の体の表面又は患者台に配置され、その位置が位置測定手段によって決定されうるよう構成される。或いは、一方の基準プローブは患者の体上に配置され、他方のプローブは患者台に設けられるような、２つの基準プローブが設けられてもよい。
【０００８】
医療介入の前に、例えば磁気共鳴断層撮影ユニット、コンピュータ断層撮影装置、超音波装置、又はＸ線装置といった画像データ捕捉ユニットが既に画像データベースを形成しており、画像データベース中には空間位置の手術中に捕捉されたのと同じ周期運動信号と同時に捕捉されている個々の３次元画像データセットが格納され、個々の３次元画像データセットには運動信号の周期の個々の運動位相が関連付けられる。更に、基準プローブは手術前にその適用の最終点に既に配置されねばならず、３次元画像データセットに対するその位置が決定されねばならない。これは、例えば基準プローブを画像データ捕捉中にも検出されえ、個々の３次元画像データセット中で認識可能であるように構成することによって実現されうる。他の可能性は、公知の位置測定ユニットによって画像データ捕捉ユニット及び基準プローブの位置を決定することによって画像データ捕捉ユニットに対する基準プローブの位置を決定することである。
【０００９】
医療器具及び基準プローブの空間位置の決定中の運動位相に基づき、同じ運動位相に関連付けられる３次元データセットが（手術中に）画像データバンクから選択される。運動信号、即ちより正確には個々の運動位相は、医療器具の手術中に決定される空間的位置と、同じ運動位相の解剖学的構造の位置に関する情報を含む手術前に決定された３次元画像セットとの間のリンクを或る程度は表わす。器官に対する基準プローブの位置がこの３次元画像データセット中で既知であり、基準プローブの実際の空間位置が測定されたため、そこから変換式が決定されえ、医療器具の測定された空間位置は、例えば単純な座標変換によって、器官に対するその位置へ単純に変換されうる。本発明はこのように、例えば心室に導入されたカテーテルの位置といった、周期的に運動する器官に対する患者の体に導入された医療器具の位置の正確な決定を可能とする。医師は、器具を所望の介入が実行されうる正確な所定の位置へ案内しうる。
【００１０】
本発明による方法及び本発明による装置の有利な実施例は、更なる請求項に記載される。
【００１１】
本発明による方法においてどの運動信号が記録され使用されるかについての決定は、体に導入される医療器具が受ける運動自体、又は医療器具が動作する場所の中又は近傍の体の器官によって行なわれる運動に依存する。心臓カテーテルの場合、これは特に心臓の運動であり、それにより患者の心電図を運動信号として記録することが有利である。脳内への介入の場合も心電図がまた適用可能である。有利な実施例では、患者の呼吸運動に依存する呼吸運動信号は運動信号として捕捉される。
【００１２】
更なる望ましい例では、かかる呼吸運動信号は他の運動信号、例えば心電図に加えて捕捉され、解剖学的構造及び可能であれば呼吸運動による医療器具の運動を考慮し補正するよう上述の方法に従って医療器具の位置を決定する間に使用される。この実施例は更に正確な位置の決定を与える。
【００１３】
望ましい実施例では、３次元画像データセットは医療器具及び基準プローブの空間位置の決定中にも捕捉される。これはリアルタイム３次元超音波方法によって実現され、かかるデータセットは器官に対する医療器具の位置の決定中に使用される及び／又は画像データベースに格納されうる。所望であれば位置決定の正確さは更に向上されうる。更に、選択された３次元画像データセットから医療器具の周囲の画像を形成するために使用されうるリアルタイム３次元画像データセットに関して情報が使用可能とされ、画像はディスプレイ装置上に表示されえ、医療器具の位置は更なる実施例において実行されるように上記画像上に重畳されうる。
【００１４】
【発明の実施の形態】
以下添付の図面を参照して本発明について説明する。図１のブロック図は、患者台１の上に載せられ、患者の図式的に示される心臓３が体の中に導入されるカテーテル４によって処置を受けることを示す図である。カテーテルの先端には、例えば小さいレーザ又はドリルといった処置器具（図示せず）のほかにも、ＲＦ信号の送信用のＲＦコイル（５）が設けられる。患者２の下側には、例えば患者台１に一体化されて、ＲＦコイル５によって送信される信号の受信用のＲＦ受信ユニット８が設けられる。ユニット８は、例えば少なくとも３つの隣接して配置されるＲＦ受信コイルを有するアレイを含む。ＲＦ送信器コイル５及びＲＦ受信ユニット８を有するカテーテル４は、ＲＦ送信器コイル５及びＲＦ受信ユニット８と共に位置測定ユニットを構成するＲＦ処理ユニット７に接続される。ＲＦ処理ユニット７は、コイル５によるＲＦ信号の送信を制御すると共にＲＦ受信ユニット８によって受信される信号を評価し、それにより例えばＲＦ受信ユニット８の座標系といった固定の座標系におけるカテーテルの位置を計算し、そこからカテーテルの空間中の位置が決定される。
【００１５】
更に、やはりＲＦ信号を送信するための例えばＲＦ送信器コイルといったＲＦ送信手段を含む基準プローブ６もまたＲＦ処理ユニット７に接続される。これらの信号はやはりＲＦ受信ユニット８によって受信されえ、それにより基準プローブ６の空間中の位置が決定されうる。図示される例では、基準プローブ６は患者台１に固定されるが、患者が処置中に動かないのであれば患者２の体の表面に取り付けられてもよい。
【００１６】
患者２の胸部の領域には、処置中に患者２の心電図を測定する心電図ユニット１０に接続される電極アレイ９が設けられる。
【００１７】
ＲＦ処理ユニット７及び心電図ユニット１０は、これらのユニットを制御しそれによって発生されるデータを処理する制御・算術ユニット１１に接続される。制御・算術ユニット１１には、患者２の手術前に捕捉された３次元画像データセット、即ち本例では患者の心臓領域の画像データ、が記憶される記憶ユニット１２が接続される。所望の情報及び当該の適用に依存して、かかる３次元画像データセットは、Ｘ線装置又は磁気共鳴断層撮影装置といった１つ以上の医療撮像装置（画像データ捕捉ユニット２０）によって供給されている。しかしながら、このような３次元画像データセットが本発明による方法に適したものであるためには、基準プローブ６が３次元画像データセットの捕捉中に既にその現在の位置に存在しており、その画像データ捕捉ユニット２０に対する位置が既知であることが必要である。また、患者の心電図は３次元画像データセットの捕捉と同時に捕捉されることが必要であり、それにより各３次元画像データセットは具体的な心臓運動位相、即ち心電図の周期中の所与の時点に関連付けられうる。記憶ユニット１２はこのように、４次元データセット、即ち心電図の周期中の各心臓運動位相について１つ以上の３次元画像データセットを含む。
【００１８】
制御・算術ユニット１１は供給されるデータから心臓３に対するカテーテル４の位置を決定し、存在する３次元画像データセットに基づいて、ディスプレイ装置１３に表示されるためにカテーテルを囲む解剖学的構造の画像を導出しうる。この操作は、カテーテルの瞬間的な位置又はカテーテル自体が重畳されうる表示された画像を観察することによって処置中に連続的に可能であるため担当医師はカテーテルがどこに配置されるかを正確に見ることができる。本発明による方法によれば、心臓の固有運動は心臓に対するカテーテルの位置を決定するために考慮に入れられ、従って不正確な結果を与えないため、担当医師は、例えば心臓の中の所与の点を非常に正確に扱うことができる。
【００１９】
以下、図２及び３を参照して、本発明による方法について詳述する。図２は、フローチャートの個々のステップＳ１乃至Ｓ５を示す図である。手術前に実行されるステップＳ１において、３次元画像データセットが捕捉され、同時に患者の心電図も捕捉され、記憶ユニット１２の中に画像データベースとして記憶される。続くステップは処置中に実行される。まずステップＳ２において位置測定ユニットによってカテーテルの空間的位置及び基準プローブの空間的位置が測定され、同時に患者の心電図が記録される。ステップＳ３において、心臓の運動位相に基づいて、即ち心電図の周期中の位置測定が行われた時点に基づいて、画像データベースから、運動の同じ位相即ち心電図の周期中の同じ時点に関連付けられる３次元画像データセットが選択される。
【００２０】
続いて、ステップＳ４において、３次元画像データセット中のカテーテルの位置、従って３次元画像データセットにそれについての画像情報が含まれる心臓に対するカテーテルの位置は、正確に測定されたカテーテルの空間的位置及び基準プローブの空間的位置、選択された３次元画像データセット、及び３次元画像データセットに対する基準プローブの位置に関する情報から変換される。この変換のために、基準プローブの測定された空間的位置及び３次元画像データセットに対する基準プローブの位置に関する情報は、基準プローブに対するカテーテルの位置がカテーテル及び基準プローブの実際に測定された空間的位置から決定され、その後３次元画像データセットに取り入れられるよう用いられる。最後に、カテーテルの位置が重畳された心臓及びカテーテル自体の画像は、選択された３次元画像データセットから決定される。
【００２１】
ステップＳ２乃至Ｓ５は、処置中に連続して実行されえ、それにより医師が高い信頼性でカテーテルを追従することを可能とする。
【００２２】
図３は、ステップＳ１乃至Ｓ３を示すための幾つかのタイミング図である。手術前に実行されるステップＳ１において、心電図Ｅ1及び３次元画像データセットが同時に捕捉される。捕捉は、心電図Ｅ1の周期Ｋの個々の運動位相ｅ1，ｅ2，．．．，ｅ16に対して夫々の３次元画像データセットｐ1，ｐ2，．．．，ｐ16が関連付けられるように行なわれる。これらの手術前に捕捉されるデータセットは画像データベースとして記憶される。処置中に実行されるステップＳ２において、心電図Ｅ2が再び捕捉され、カテーテルの空間的位置ｃ及び基準プローブの空間的位置ｒは同時に位置測定ユニットによって測定される。このカテーテルの位置ｃ1，ｃ2，．．．，ｃ7及び基準プローブの位置ｒ1，ｒ2，．．．，ｒ7は、同時に、又は異なる時間間隔で行なわれうる。しかしながら、各位置測定は心電図Ｅ2の同時捕捉により心電図Ｅ2の周期Ｋの所与の運動位相ｅに再び関連付けられうる。例えば、図示される例では、カテーテル位置ｃ1及びｃ5並びに基準プローブ位置ｒ1及びｒ5は運動位相ｅ1において生じ、カテーテル位置ｃ4及びｃ7並びに基準プローブ位置ｒ4及びｒ7は運動位相ｅ10において生ずる。この運動位相に基づき、ステップＳ３において同じ運動位相に関連付けられる３次元画像データセットが画像データベースから選択される。本例では、これは、３次元画像データセットｐ1が運動位相ｅ1に基づいて画像データベースから選択され、３次元画像データセットｐ10が運動位相ｅ10に基づいて画像データベースから選択されることを意味する。従って、当該の運動位相に基づいて、実際に測定されたカテーテル位置及び基準プローブ位置と同じ運動位相において手術前に捕捉された３次元画像データセットとのリンクが確立される。
【００２３】
図４は、３次元画像データセットから捕捉され、その上にカテーテル４が重畳された心臓３の画像を示す図である。
【００２４】
図５は本発明の更なる実施例を示すブロック図である。図１に示される手段のほかに、本実施例は患者２の体の表面上に配置される患者基準プローブ２１を含む。このプローブもまたＲＦ処理ユニット７に接続され、その空間中の位置は、カテーテル位置及び基準プローブ位置と同様、連続的に測定される。患者基準プローブ２１の測定された位置は、処置中に、心臓に対するカテーテルの位置を決定するために、患者２の運動を考慮に入れるために有利に使用されうる。このため、２つの基準プローブ６、２１の空間中の位置の相対位置は、初期状態（患者の安静状態）における相対位置が既知であれば、処置中の患者の位置の変化の度合いを決定し、更なる計算中にこれを補正するために使用されうる。患者基準プローブ２１に対するカテーテル４の空間中の位置は、続いて３次元画像データセットに対する、従って心臓に対するカテーテル４の空間中の位置を変換するために使用される。
【００２５】
更に、本実施例は、患者２の呼吸運動を監視し、呼吸運動測定ユニットに印加される呼吸運動信号を測定する呼吸運動センサ１５を含む。呼吸運動センサ１５は、例えば本例のように患者２の腹部の領域に配置される弾性的に変形可能な腹部ベルトであってもよいが、これに関しては、呼吸により変化する患者２の電気抵抗を測定するために患者の腹部の領域に配置される超音波装置又は抵抗測定装置といった他の手段が可能である。カテーテル及び基準プローブの空間中の位置の測定中に連続的に測定される呼吸運動信号もまた、制御・算術ユニット１１に印加され、心臓に対するカテーテルの位置を計算するときにやはり考慮に入れられる。これはカテーテル４が患者の呼吸運動によって体の中で動き、それにより基準プローブ６に対するカテーテル４の位置は変化するが心臓３に対するカテーテルの位置は変化しないか僅かに変化するだけであるため、有利である。カテーテル４の空間中の位置の測定中に呼吸運動位相が考慮に入れられなければ、カテーテル４の空間中の位置を心臓３に対する位置へ変換することにより誤りが生じうる。患者基準プローブ２１は、所与の状況では、呼吸運動センサ１５及び呼吸運動測定ユニット１６の機能を実行するのに十分であるため、これらの要素は排除されうる。
【００２６】
図５に示される実施例はまた、画像データ捕捉ユニット１８に接続される超音波装置１７を含み、それにより実際の３次元画像が処置中にリアルタイムで捕捉されうる。このような実際の３次元画像データセットは供給リード１９を介して個々の運動位相に関連付けられ、また記憶ユニット１２に記憶されうる。かかるセットを実際の３次元画像データセットもまた評価される制御・算術ユニット１１に印加することも可能である。これは、画像データベース中に記憶される３次元画像データセットの捕捉が手術前に行なわれ、解剖学的構造又はその位置はそのときから僅かに変化した可能性があるため、カテーテル４の位置の決定の精度を高め、カテーテルを囲む解剖学的構造のより高い画質またはより実際的な画像を与えうる。
【００２７】
図６は、呼吸運動センサ１５によって測定され、時間軸ｔ上にプロットされた典型的な呼吸運動信号Ａを示す図である。呼吸運動信号は本質的に周期Ｌで周期的に変化し、個々の呼吸運動位相ａ1，ａ2，．．．，ａ16へ細分化されうる。
【００２８】
図５を参照して説明されたように、処置中、この呼吸運動信号Ａは心電図に補足されるものとして連続的に測定されえ、心臓に対するカテーテルの位置を計算するために考慮に入れられる。このため、心臓の領域における解剖学的構造の位置は、各呼吸運動位相ａにおいて所与の基準呼吸運動位相に関連する所与の基準位置に対して固定量だけ変化する。これらの値は、解剖学的構造のモデルに基づいて、又は処置される患者上で手術前に測定されうる。更に、かかる呼吸運動信号は３次元画像データセットの手術前捕捉中に既に捕捉されえ、それにより３次元画像データセットは心電図の個々の運動位相に関連付けられるだけでなく、呼吸運動の個々の運動位相にも関連付けられ、それにより画像データベース中に５次元データセット（３次画像データセット＋心臓運動位相＋呼吸運動位相）が記憶される。
【００２９】
或いは、３次元画像データセットを手術前に、所与の呼吸運動の低い運動位相中、例えば呼吸運動位相ａ6及びａ10中にのみ捕捉し、処置中の同じ呼吸運動位相中にのみカテーテルの空間的位置を決定し評価するよう配置されうる。
【００３０】
本発明の方法によれば、心電図を手術前３次元画像データセットの捕捉及びカテーテルの空間位置の手術中測定のために使用する代わりに、器官の周期運動に関連し処置ゾーン中の解剖学的構造及び／又はカテーテルの運動を生じさせる他の周期的信号もまた使用されうる。例えば、患者の腹部ゾーンの処置の場合、心電図の代わりに上述の呼吸運動信号（図６参照）を使用することが可能である。
【００３１】
図面を参照して説明されるような様々な位置及び信号を決定する手段は単に例として与えられるものである。例えば、位置測定ユニットは異なる構造を有してもよく、例えば、受信コイルユニットがカテーテル上及び基準プローブ上に設けられ、一方送信コイルユニットが患者の外側に設けられうる。心電図を測定するための心電図ユニットの代わりに、例えばパルス酸素測定装置といった他の手段が設けられうる。
【図面の簡単な説明】
【図１】本発明による方法を示すブロック図である。
【図２】方法の個々のステップを示すフローチャートである。
【図３】方法の個々のステップを示す幾つかのタイミング図である。
【図４】人間の心臓にカテーテルの先端を重ね合わせて表わす図である。
【図５】本発明の更なる実施例を示すブロック図である。
【図６】呼吸運動信号を示すタイミング図である。
【符号の説明】
１    患者台
２    患者
３    心臓
４    カテーテル
５    ＲＦ送信器コイル
６    基準プローブ
７    ＲＦ処理ユニット
８    ＲＦ受信ユニット
９    電極アレイ
１０    心電図ユニット
１１    制御・算術ユニット
１２    記憶ユニット
１３    ディスプレイ装置
２０    画像データ捕捉ユニット
【図１】
0004700795.tif 000002
【図２】
0004700795.tif 000003
【図３】
0004700795.tif 000004
【図４】
0004700795.tif 000005
【図５】
0004700795.tif 000006
【図６】
0004700795.tif 000007